(57)【要約】【課題】この発明は、自己の設定状態と外部から取得したデジタル映像信号の色空間との対応関係を分かり易く表示し、取得したデジタル映像信号の色空間に対応した設定にユーザが容易に切り替えることができるようにして、ユーザにとっての取り扱いを便利にした映像表示装置、映像表示方法及び放送受信装置を提供することを目的としている。【解決手段】ＨＤＭＩ規格に準拠して伝送されるデジタル映像信号を受信して映像表示のための信号処理を施すもので、標準色空間に対応した信号処理とｘｖＹＣＣ対応の色空間に対応した信号処理とに選択的に切り替え設定可能な信号処理部（２３）を有し、受信したデジタル映像信号がｘｖＹＣＣ対応で、信号処理部（２３）が標準色空間に対応した信号処理を施すように設定されている場合に、その旨を表示する。【選択図】図１
2009038528.tif 000002
【特許請求の範囲】
【請求項１】
特定のデジタル信号伝送規格に準拠した形態で伝送されるデジタル映像信号を受信する受信手段と、
前記受信手段で受信したデジタル映像信号に映像表示のための信号処理を施すもので、標準色空間に対応した信号処理と前記標準色空間よりも広い色空間に対応した信号処理とに選択的に切り替え設定可能な信号処理手段と、
前記受信手段で受信したデジタル映像信号が前記標準色空間よりも広い色空間に対応しており、前記信号処理手段が前記標準色空間に対応した信号処理を施すように設定されている場合に、その旨を表示する表示手段とを具備することを特徴とする映像信号処理装置。
【請求項２】
前記特定のデジタル信号伝送規格はＨＤＭＩ（high definition multimedia interface）規格であり、前記標準色空間よりも広い色空間はｘｖＹＣＣ対応の色空間であることを特徴とする請求項１記載の映像信号処理装置。
【請求項３】
前記表示手段は、前記受信手段で受信したデジタル映像信号が前記標準色空間よりも広い色空間に対応しており、前記信号処理手段も前記標準色空間よりも広い色空間に対応した信号処理を施すように設定されている場合に、その旨を表示することを特徴とする請求項１記載の映像信号処理装置。
【請求項４】
前記表示手段は、前記受信手段で受信したデジタル映像信号が前記標準色空間よりも広い色空間に対応しており、前記信号処理手段も前記標準色空間よりも広い色空間に対応した信号処理を施すように設定されている場合に、特定の文字列を標準の明るさで表示し、前記受信手段で受信したデジタル映像信号が前記標準色空間よりも広い色空間に対応しており、前記信号処理手段が前記標準色空間に対応した信号処理を施すように設定されている場合に、前記特定の文字列を標準よりもトーンダウンした明るさで表示することを特徴とする請求項３記載の映像信号処理装置。
【請求項５】
前記特定の文字列は、ｘｖＣｏｌｏｒであることを特徴とする請求項４記載の映像信号処理装置。
【請求項６】
特定のデジタル信号伝送規格に準拠した形態で伝送されるデジタル映像信号を受信する工程と、
受信したデジタル映像信号を、標準色空間に対応した信号処理と前記標準色空間よりも広い色空間に対応した信号処理とに選択的に切り替え設定可能な信号処理手段に供給して映像表示のための信号処理を施す工程と、
受信したデジタル映像信号が前記標準色空間よりも広い色空間に対応しており、前記信号処理手段が前記標準色空間に対応した信号処理を施すように設定されている場合に、その旨を表示する工程とを具備することを特徴とする映像信号処理方法。
【請求項７】
放送信号を受信する第１の受信手段と、
前記第１の受信手段で受信された放送信号に含まれる映像信号に映像表示のための信号処理を施す第１の信号処理手段と、
特定のデジタル信号伝送規格に準拠した形態で伝送されるデジタル映像信号を受信する第２の受信手段と、
前記第２の受信手段で受信したデジタル映像信号に映像表示のための信号処理を施すもので、標準色空間に対応した信号処理と前記標準色空間よりも広い色空間に対応した信号処理とに選択的に切り替え設定可能な第２の信号処理手段と、
前記第１の信号処理手段から出力される映像信号と前記第２の信号処理手段から出力される映像信号とを選択的に出力する選択手段と、
前記第２の受信手段で受信したデジタル映像信号が前記標準色空間よりも広い色空間に対応しており、前記第２の信号処理手段が前記標準色空間に対応した信号処理を施すように設定されている場合に、その旨を表示する表示手段とを具備することを特徴とする放送受信装置。
【請求項８】
前記特定のデジタル信号伝送規格はＨＤＭＩ規格であり、前記標準色空間よりも広い色空間はｘｖＹＣＣ対応の色空間であることを特徴とする請求項７記載の放送受信装置。
【発明の詳細な説明】
【技術分野】
【０００１】
この発明は、所定のデジタルインターフェース規格を介して外部から取得したデジタル映像信号に表示のための信号処理を施す映像信号処理装置、映像信号処理方法及び放送受信装置に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
特に、このＨＤＭＩ規格においては、デジタル映像信号として、標準（スタンダード）の色空間設定に準拠したデジタル映像信号だけでなく、標準よりも広い（ワイド）、いわゆるｘｖＹＣＣと称される色空間設定に準拠したデジタル映像信号をも、伝送することができるように規定されている。
【０００５】
このため、現在、ＨＤＭＩ規格で伝送されるデジタル映像信号を受信する装置に対しては、標準色空間対応のデジタル映像信号に信号処理を施して映像表示させる機能と、ｘｖＹＣＣ対応のデジタル映像信号に信号処理を施して映像表示させる機能とを搭載させ、ユーザが２つの機能を選択的に切り替えられるようにすることが考えられている。
【０００６】
しかしながら、このような標準色空間対応のデジタル映像信号とｘｖＹＣＣ対応のデジタル映像信号とにそれぞれ対応可能とした受信装置は、まだまだ開発途上にある段階であり、細部に亘って改良する余地が多々残されている。
【０００７】
例えば、受信装置の現在選択されている機能が、受信したデジタル映像信号の色空間に対応しているか否かをユーザに分かり易く知らせることにより、受信したデジタル映像信号の色空間に対応した機能が正しく選択されるように、ユーザが受信装置を容易に切り替えられるようにする支援システムの開発が強く要望されている。
【０００８】
特許文献１には、同じコンテンツの信号を複数の信号形式で選択的に送出する送信側装置に対して、自己に好適する信号を受け取るための受信仕様データを出力する映像受信装置であり、デフォルトとして指定する第１の受信仕様データと所定の信号形式を指定する第２の受信仕様データとのいずれかを、送信側装置に送信することができるようにした構成が開示されている。
【特許文献１】特開２００７−０９６６０４号公報
【発明の開示】
【発明が解決しようとする課題】
【０００９】
そこで、この発明は上記事情を考慮してなされたもので、自己の設定状態と外部から取得したデジタル映像信号の色空間との対応関係を分かり易く表示し、取得したデジタル映像信号の色空間に対応した設定にユーザが容易に切り替えることができるようにして、ユーザにとっての取り扱いを便利にした映像信号処理装置、映像信号処理方法及び放送受信装置を提供することを目的とする。
【課題を解決するための手段】
【００１０】
この発明に係る映像信号処理装置は、特定のデジタル信号伝送規格に準拠した形態で伝送されるデジタル映像信号を受信する受信手段と、受信手段で受信したデジタル映像信号に映像表示のための信号処理を施すもので、標準色空間に対応した信号処理と標準色空間よりも広い色空間に対応した信号処理とに選択的に切り替え設定可能な信号処理手段と、受信手段で受信したデジタル映像信号が標準色空間よりも広い色空間に対応しており、信号処理手段が標準色空間に対応した信号処理を施すように設定されている場合に、その旨を表示する表示手段とを備えるようにしたものである。
【００１１】
また、この発明に係る映像信号処理方法は、特定のデジタル信号伝送規格に準拠した形態で伝送されるデジタル映像信号を受信する工程と、受信したデジタル映像信号を、標準色空間に対応した信号処理と標準色空間よりも広い色空間に対応した信号処理とに選択的に切り替え設定可能な信号処理手段に供給して映像表示のための信号処理を施す工程と、受信したデジタル映像信号が標準色空間よりも広い色空間に対応しており、信号処理手段が標準色空間に対応した信号処理を施すように設定されている場合に、その旨を表示する工程とを備えるようにしたものである。
【００１２】
さらに、この発明に係る放送受信装置は、放送信号を受信する第１の受信手段と、第１の受信手段で受信された放送信号に含まれる映像信号に映像表示のための信号処理を施す第１の信号処理手段と、特定のデジタル信号伝送規格に準拠した形態で伝送されるデジタル映像信号を受信する第２の受信手段と、第２の受信手段で受信したデジタル映像信号に映像表示のための信号処理を施すもので、標準色空間に対応した信号処理と標準色空間よりも広い色空間に対応した信号処理とに選択的に切り替え設定可能な第２の信号処理手段と、第１の信号処理手段から出力される映像信号と第２の信号処理手段から出力される映像信号とを選択的に出力する選択手段と、第２の受信手段で受信したデジタル映像信号が標準色空間よりも広い色空間に対応しており、第２の信号処理手段が標準色空間に対応した信号処理を施すように設定されている場合に、その旨を表示する表示手段とを備えるようにしたものである。
【発明の効果】
【００１３】
上記した発明によれば、受信したデジタル映像信号が標準色空間よりも広い色空間に対応しており、信号処理手段が標準色空間に対応した信号処理を施すように設定されている場合に、その旨を表示するようにしたので、自己の設定状態と外部から取得したデジタル映像信号の色空間との対応関係を分かり易く表示し、取得したデジタル映像信号の色空間に対応した設定にユーザが容易に切り替えることができるようになり、ユーザにとっての取り扱いを便利にすることができるようになる。
【発明を実施するための最良の形態】
【００１４】
以下、この発明の実施の形態について図面を参照して詳細に説明する。図１は、この実施の形態で説明するテレビジョン放送受信装置１１の映像処理系について示している。すなわち、アンテナ１２で受信されたテレビジョン放送信号は、入力端子１３を介してチューナ１４に供給されることにより、所望のチャンネルの放送信号が選局される。
【００１５】
そして、このチューナ１４で選局された放送信号は、復調部１５による復調処理及び信号処理部１６による所定の信号処理が順次施されることにより、元のアナログ映像信号に復元される。その後、この信号処理部１６から出力されたアナログ映像信号は、混合部１７によりＯＳＤ（on screen display）信号処理部１８から出力されるＯＳＤ信号と混合されて、セレクタ１９の一方の入力端に供給される。
【００１６】
また、このテレビジョン放送受信装置１１は、複数のＨＤＭＩ端子２０１，２０２，……，２０ｎを備えている。これらのＨＤＭＩ端子２０１〜２０ｎには、それぞれに、例えばＤＶＤ（digital versatile disk）再生装置等の外部機器が接続される。そして、各ＨＤＭＩ端子２０１〜２０ｎには、それぞれ、接続されている外部機器から、ＨＤＭＩ規格に準拠した形態に変換されたデジタル映像信号が供給されるようになっている。
【００１７】
各ＨＤＭＩ端子２０１〜２０ｎに供給されたデジタル映像信号は、セレクタ２１に供給される。このセレクタ２１は、入力される各デジタル映像信号からいずれか１つのデジタル映像信号を選択して出力する。そして、このセレクタ２１で選択出力されたデジタル映像信号は、ＨＤＭＩ送受信部２２に供給されてＨＤＭＩ規格に準拠した形態に変換される前のデジタル映像信号に戻される。
【００１８】
このＨＤＭＩ送受信部２２から出力されるデジタル映像信号は、信号処理部２３に供給されて所定の信号処理が施されることにより、元のアナログ映像信号に復元される。その後、この信号処理部２３から出力されたアナログ映像信号は、混合部２４により上記ＯＳＤ信号処理部１８から出力されるＯＳＤ信号と混合されて、上記セレクタ１９の他方の入力端に供給される。
【００１９】
このセレクタ１９は、混合部１７，２４から出力されるアナログ映像信号のいずれか一方を選択して出力する。そして、このセレクタ１９で選択されたアナログ映像信号は、例えば平面型の液晶ディスプレイ等で構成された映像表示器２５に供給されて、映像表示に供される。
【００２０】
また、上記ＨＤＭＩ送受信部２２は、各外部機器から出力されＨＤＭＩ端子２０１〜２０ｎに供給されるＥＤＩＤ（extended display identification）データを、セレクタ２１で選択して受信し、それに対する応答信号を出力する。このＨＤＭＩ送受信部２２から出力された応答信号は、セレクタ２１を介して対応する外部機器に送出される。
【００２１】
ここで、このテレビジョン放送受信装置１１は、上記した各種の受信動作を含むその全ての動作を制御部２６によって統括的に制御されている。この制御部２６は、ＣＰＵ（central processing unit）等を内蔵しており、操作部２７からの操作情報、または、リモートコントローラ２８から送出され受光部２９に受光された操作情報を受信し、その操作内容が反映されるように各部をそれぞれ制御している。
【００２２】
この場合、制御部２６は、メモリ部３０を利用している。このメモリ部３０としては、主として、制御部２６のＣＰＵが実行するための制御プログラムを格納したＲＯＭ（read only memory）と、該ＣＰＵに作業エリアを提供するためのＲＡＭ（random access memory）と、各種の設定情報及び制御情報等を格納するための不揮発性メモリとを有している。
【００２３】
ここにおいて、先にも述べたように、ＨＤＭＩ規格においては、デジタル映像信号として、標準の色空間（スタンダード）に対応したデジタル映像信号だけでなく、標準よりも広いｘｖＹＣＣ対応の色空間（ワイド）に対応したデジタル映像信号も伝送することができるように規定されている。
【００２４】
そして、上記したテレビジョン放送受信装置１１の信号処理部２３では、ＨＤＭＩ送受信部２２から供給されたデジタル映像信号に対して、標準色空間に対応した信号処理を施す機能と、ｘｖＹＣＣに対応した信号処理を施す機能とを有している。そして、ユーザが操作部２７またはリモートコントローラ２８を操作することにより、２つの機能を選択的に切り替えて設定することができるようになっている。
【００２５】
また、このテレビジョン放送受信装置１１の制御部２６は、現在いずれの機能に設定されているかを示す自己の設定状態と、現在ＨＤＭＩ送受信部２２が受信しているデジタル映像信号の持つ色空間との対応関係を、ＯＳＤ信号により映像表示器２５に表示させるようにしている。
【００２６】
すなわち、上記制御部２６は、外部機器からＨＤＭＩ規格に準拠した形態で伝送されてくるデジタル映像信号を映像表示するように設定されている場合、つまり、上記セレクタ１９が混合部２４から出力されるアナログ映像信号を選択するように設定されている場合に、その旨をＯＳＤ信号により映像表示器２５に表示させるようにしている。
【００２７】
図２は、上記映像表示器２５の表示画面２５ａを示している。この映像表示器２５の表示画面２６ａの右上部には、ＨＤＭＩ規格の入力映像を表示している場合、その旨を示すためのＨＤＭＩ状態表示部３１が表示される。このＨＤＭＩ状態表示部３１は、映像表示器２５の表示画面２５ａ上で、ＨＤＭＩ対応の映像信号に基づく表示映像に重ねて表示される。
【００２８】
そして、このＨＤＭＩ状態表示部３１には、映像表示に供しているデジタル映像信号、つまり、セレクタ２１で選択されているデジタル映像信号を入力しているＨＤＭＩ端子２０１〜２０ｎを、番号１，２，……，ｎで示す入力表示領域３１ａが設けられている。また、このＨＤＭＩ状態表示部３１には、映像表示に供しているデジタル映像信号、つまり、セレクタ２１で選択されているデジタル映像信号を出力している外部機器名を示す機器表示領域３１ｂが設けられている。
【００２９】
さらに、このＨＤＭＩ状態表示部３１には、映像表示に供しているデジタル映像信号、つまり、セレクタ２１で選択されているデジタル映像信号の持つ色空間を示す色空間表示領域３１ｃが設けられている。この色空間表示領域３１ｃは、セレクタ２１で選択されているデジタル映像信号が標準の色空間に対応している場合に、何も表示しない無表示状態となる。
【００３０】
また、この色空間表示領域３１ｃは、セレクタ２１で選択されているデジタル映像信号がｘｖＹＣＣ対応の色空間に対応しており、かつ、上記信号処理部２３がｘｖＹＣＣ対応の信号処理を施す機能に設定されている場合に、“ｘｖＣｏｌｏｒ”なる文字列を標準の明るさで表示する。
【００３１】
さらに、この色空間表示領域３１ｃは、セレクタ２１で選択されているデジタル映像信号がｘｖＹＣＣ対応の色空間に対応しており、かつ、上記信号処理部２３が標準色空間に対応した信号処理を施す機能に設定されている場合に、“ｘｖＣｏｌｏｒ”なる文字列を標準の明るさよりもトーンダウンした明るさで表示する。
【００３２】
これにより、ユーザは、ＨＤＭＩ状態表示部３１の入力表示領域３１ａ及び機器表示領域３１ｂに、それぞれＨＤＭＩ端子２０１〜２０ｎの番号１〜ｎ及び外部機器名が表示され、色空間表示領域３１ｃが無表示の場合、現在の映像表示に供しているデジタル映像信号が標準色空間に対応するものであると判別することができ、上記信号処理部２３を標準色空間に対応した信号処理を施す機能に切り替えることができる。
【００３３】
また、ユーザは、ＨＤＭＩ状態表示部３１の入力表示領域３１ａ及び機器表示領域３１ｂに、それぞれＨＤＭＩ端子２０１〜２０ｎの番号１〜ｎ及び外部機器名が表示され、色空間表示領域３１ｃに“ｘｖＣｏｌｏｒ”が標準の明るさで表示されている場合、現在の映像表示に供しているデジタル映像信号がｘｖＹＣＣ対応で、かつ、信号処理部２３がｘｖＹＣＣ対応の信号処理を施す機能に設定されていると判断することができる。
【００３４】
さらに、ユーザは、ＨＤＭＩ状態表示部３１の入力表示領域３１ａ及び機器表示領域３１ｂに、それぞれＨＤＭＩ端子２０１〜２０ｎの番号１〜ｎ及び外部機器名が表示され、色空間表示領域３１ｃに“ｘｖＣｏｌｏｒ”が標準よりもトーンダウンした明るさで表示されている場合、現在の映像表示に供しているデジタル映像信号がｘｖＹＣＣ対応で、かつ、信号処理部２３が標準色空間に対応した信号処理を施す機能に設定されていると判別することができる。
【００３５】
すなわち、ユーザは、ｘｖＹＣＣ対応のデジタル映像信号が入力されているにもかかわらず、信号処理部２３の現在の信号処理機能が入力デジタル映像信号に対応しておらず、本来のｘｖＹＣＣ対応の色空間による表示能力を十分に発揮した映像表示がなされていないと判別することができる。このため、ユーザは、信号処理部２３をｘｖＹＣＣ対応の信号処理を施す機能に切り替えるようにすればよいと、容易に判断することができるようになる。
【００３６】
要するに、テレビジョン放送受信装置１１の制御部２６は、信号処理部２３の信号処理機能の設定状態と、外部機器から取得して映像表示に供しているデジタル映像信号の色空間との対応関係を、色空間表示領域３１ｃの表示形態によりユーザに分かり易く表示している。
【００３７】
このため、信号処理部２３の信号処理機能の設定状態と、外部機器から取得して映像表示に供しているデジタル映像信号の色空間とが、最適な状態になっているか否かをユーザが容易に判断することができ、最適に状態になっていない場合には、映像表示に供しているデジタル映像信号の色空間に対応した信号処理機能に、ユーザが容易に切り替えることができるように支援することができ、ユーザにとっての取り扱いを便利にすることができる。
【００３８】
図３は、上記した制御部２６の処理動作をまとめたフローチャートを示している。すなわち、処理が開始（ステップＳ１）されると、制御部２６は、ステップＳ２で、いずれかのＨＤＭＩ端子２０１〜２０ｎに入力されたデジタル映像信号による映像表示が要求されているか否かを判別する。
【００３９】
そして、要求されていると判断された場合（ＹＥＳ）、制御部２６は、ステップＳ３で、入力されたデジタル映像信号がｘｖＹＣＣ対応であるか否かを判別し、ｘｖＹＣＣ対応でないと判断された場合（ＮＯ）、ステップＳ４で、色空間表示領域３１ｃを無表示状態に制御して、処理を終了（ステップＳ８）する。
【００４０】
また、上記ステップＳ３で入力されたデジタル映像信号がｘｖＹＣＣ対応であると判断された場合（ＹＥＳ）、制御部２６は、ステップＳ５で、信号処理部２３がｘｖＹＣＣ対応の信号処理を施す機能に設定されているか否かを判別し、設定されていると判断された場合（ＹＥＳ）、ステップＳ６で、色空間表示領域３１ｃに“ｘｖＣｏｌｏｒ”を標準の明るさで表示して、処理を終了（ステップＳ８）する。
【００４１】
さらに、上記ステップＳ５で信号処理部２３がｘｖＹＣＣ対応の信号処理を施す機能に設定されていないと判断された場合（ＮＯ）、制御部２６は、ステップＳ７で、色空間表示領域３１ｃに“ｘｖＣｏｌｏｒ”を標準よりもトーンダウンした明るさで表示して、処理を終了（ステップＳ８）する。
【００４２】
ここで、上記した実施の形態では、入力デジタル映像信号がｘｖＹＣＣ対応で、信号処理部２３が標準色空間に対応している場合、色空間表示領域３１ｃにおける“ｘｖＣｏｌｏｒ”を標準よりもトーンダウンした明るさでユーザに表示するようにしたが、これに限らず、例えば、“ｘｖＣｏｌｏｒ”なる文字の輝度、色、大きさを変えるようにしてもよいものである。
【００４３】
また、入力デジタル映像信号がｘｖＹＣＣ対応で、信号処理部２３が標準色空間に対応していることを示す専用の状態表示アイコンを付加したり、そのことを、他の機能に用いている状態表示アイコンの表示形態を変更して表示するようにしたりすることも考えられる。さらに、信号処理機能を切り替えれば、より良い映像を表示することができることを示す旨のメッセージを映像表示器２５に表示させるようにしても良いものである。
【００４４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４５】
【図１】この発明の実施の形態を示すもので、テレビジョン放送受信装置の映像処理系を説明するために示すブロック構成図。
【図２】同実施の形態におけるテレビジョン放送受信装置の表示画面に表示されるＨＤＭＩ状態表示部の一例を説明するために示す図。
【図３】同実施の形態におけるテレビジョン放送受信装置の主要な処理動作を説明するために示すフローチャート。
【符号の説明】
【００４６】
１１…テレビジョン放送受信装置、１２…アンテナ、１３…入力端子、１４…チューナ、１５…復調部、１６…信号処理部、１７…混合部、１８…ＯＳＤ信号処理部、１９…セレクタ、２０１〜２０ｎ…ＨＤＭＩ端子、２１…セレクタ、２２…ＨＤＭＩ送受信部、２３…信号処理部、２４…混合部、２５…映像表示器、２６…制御部、２７…操作部、２８…リモートコントローラ、２９…受光部、３０…メモリ部、３１…ＨＤＭＩ状態表示部、３１ａ…入力表示領域、３１ｂ…機器表示領域、３１ｃ…色空間表示領域。
【図１】
2009038528.tif 000003
【図２】
2009038528.tif 000004
【図３】
2009038528.tif 000005